(57)【要約】【課題】  持ち易いパウチ容器を提供する。【解決手段】  パウチ容器は、袋体と、袋体の内部と外部とを連通させる注出体と、を備え、袋体は、第１面シートと、第１面シートと対面する第２面シートと、第１面シートと第２面シートとの間に配置されるガゼットシートと、を備え、注出体は、第１面シートとガゼットシートとの間に配置され、第１面シートの上端部とガゼットシートの第１上端部とにそれぞれ接合され、袋体は、第１面シートの側端部と第２面シートの側端部とを接合する一対の側端接合部を備え、側端接合部の内縁は、内方に凹む凹部を備える。【選択図】  図１
2019172282.tif 000002
【特許請求の範囲】
【請求項１】
袋体と、前記袋体の内部と外部とを連通させる注出体と、を備え、
前記袋体は、第１面シートと、前記第１面シートと対面する第２面シートと、前記第１面シートと前記第２面シートとの間に配置されるガゼットシートと、を備え、
前記注出体は、前記第１面シートと前記ガゼットシートとの間に配置され、前記第１面シートの上端部と前記ガゼットシートの第１上端部とにそれぞれ接合され、
前記袋体は、前記第１面シートの側端部と前記第２面シートの側端部とを接合する一対の側端接合部を備え、
前記側端接合部の内縁は、内方に凹む凹部を備える、パウチ容器。
【請求項２】
前記袋体は、前記第１面シートと前記第２面シートとの間で且つ前記ガゼットシートよりも下方に配置される第２ガゼットシートを備え、
前記袋体は、前記第１面シートの前記上端部と前記ガゼットシートの前記第１上端部とを接合する第１上端接合部と、前記第２面シートの上端部と前記ガゼットシートの第２上端部とを接合する第２上端接合部と、前記第１面シートの前記下端部と前記第２ガゼットシートの前記第１下端部とを接合する第１下端接合部と、前記第２面シートの下端部と前記第２ガゼットシートの第２下端部とを接合する第２下端接合部と、を備え、
前記ガゼットシートの折曲部から前記第１上端接合部までの距離は、前記ガゼットシートの前記折曲部から前記第２上端接合部までの距離よりも、大きく、
前記第２ガゼットシートの折曲部から前記第１下端接合部までの距離は、前記第２ガゼットシートの前記折曲部から前記第２下端接合部までの距離と、同じである、請求項１に記載のパウチ容器。
【請求項３】
前記凹部は、底部に向けて内方へ行くように、上下方向に対して傾斜する直線部を備える、請求項１又は２に記載のパウチ容器。
【請求項４】
前記側端接合部を前記第１面シート側に傾斜させる傾斜手段を備える、請求項１〜３の何れか１項に記載のパウチ容器。
【発明の詳細な説明】
【技術分野】
【０００１】
本発明は、パウチ容器に関する。
【背景技術】
【０００２】
従来、例えば、パウチ容器は、内容物が充填される袋体と、前記袋体の内部と外部とを連通させる注出体とを備えている。そして、袋体は、第１面シートと、第１面シートと対面する第２面シートと、上端部が第１及び第２面シートのそれぞれの上端部と接合される第１ガゼットシートと、下端部が第１及び第２面シートのそれぞれの下端部と接合される第２ガゼットシートとを備えている。
【０００３】
斯かる構成によれば、第１ガゼットシートが設けられることによって、第１ガゼットシートが設けられていない構成と比較して、袋体に充填できる内容物の量を多くすることができる。ところで、袋体に充填できる内容物の量が多くなるため、パウチ容器が持ち難くなるという問題もある。そこで、把持部を備えるパウチ容器が提案されているが（例えば、特許文献１）、把持部を備えていなくとも持ち易いパウチ容器が要望されている。
【先行技術文献】
【特許文献】
【０００４】
【特許文献１】特開２０１６−６４８４８号公報
【発明の概要】
【発明が解決しようとする課題】
【０００５】
そこで、課題は、持ち易いパウチ容器を提供することである。
【課題を解決するための手段】
【０００６】
パウチ容器は、袋体と、前記袋体の内部と外部とを連通させる注出体と、を備え、前記袋体は、第１面シートと、前記第１面シートと対面する第２面シートと、前記第１面シートと前記第２面シートとの間に配置されるガゼットシートと、を備え、前記注出体は、前記第１面シートと前記ガゼットシートとの間に配置され、前記第１面シートの上端部と前記ガゼットシートの第１上端部とにそれぞれ接合され、前記袋体は、前記第１面シートの側端部と前記第２面シートの側端部とを接合する一対の側端接合部を備え、前記側端接合部の内縁は、内方に凹む凹部を備える。
【０００７】
また、パウチ容器においては、前記袋体は、前記第１面シートと前記第２面シートとの間で且つ前記ガゼットシートよりも下方に配置される第２ガゼットシートを備え、前記袋体は、前記第１面シートの前記上端部と前記ガゼットシートの前記第１上端部とを接合する第１上端接合部と、前記第２面シートの上端部と前記ガゼットシートの第２上端部とを接合する第２上端接合部と、前記第１面シートの前記下端部と前記第２ガゼットシートの前記第１下端部とを接合する第１下端接合部と、前記第２面シートの下端部と前記第２ガゼットシートの第２下端部とを接合する第２下端接合部と、を備え、前記ガゼットシートの折曲部から前記第１上端接合部までの距離は、前記ガゼットシートの前記折曲部から前記第２上端接合部までの距離よりも、大きく、前記第２ガゼットシートの折曲部から前記第１下端接合部までの距離は、前記第２ガゼットシートの前記折曲部から前記第２下端接合部までの距離と、同じである、という構成でもよい。
【０００８】
また、パウチ容器においては、前記凹部は、底部に向けて内方へ行くように、上下方向に対して傾斜する直線部を備える、という構成でもよい。
【０００９】
また、パウチ容器は、前記側端接合部を前記第１面シート側に傾斜させる傾斜手段を備える、という構成でもよい。
【図面の簡単な説明】
【００１０】
【図１】図１は、一実施形態に係るパウチ容器の全体正面図である。
【図２】図２は、同実施形態に係るパウチ容器の全体背面図である。
【図３】図３は、同実施形態に係るパウチ容器の全体分解斜視図である。
【図４】図４は、同実施形態に係るパウチ包装体の自立した状態を示す全体正面図である。
【図５】図５は、同実施形態に係るパウチ包装体の自立した状態を示す全体背面図である。
【図６】図６は、同実施形態に係るパウチ包装体の自立した状態を示す全体平面図である。
【図７】図７は、同実施形態に係るパウチ包装体が持たれた状態を示す図である。
【図８】図８は、図７のVIII−VIII線拡大断面図である。
【図９】図９は、同実施形態に係るパウチ容器の要部正面図である。
【図１０】図１０は、他の実施形態に係るパウチ容器の要部正面図である。
【図１１】図１１は、さらに他の実施形態に係るパウチ容器の全体背面図である。
【図１２】図１２は、さらに他の実施形態に係るパウチ容器の全体背面図である。
【図１３】図１３は、さらに他の実施形態に係るパウチ容器の全体背面図である。
【図１４】図１４は、同実施形態に係るパウチ包装体の自立した状態を示す全体平面図である。
【発明を実施するための形態】
【００１１】
以下、パウチ容器における一実施形態について、図１〜図１０を参照しながら説明する。なお、各図（図１１〜図１４も同様）において、図面の寸法比と実際の寸法比とは、必ずしも一致しておらず、また、各図面の間での寸法比も、必ずしも一致していない。
【００１２】
各図、及び、以下の説明において、第１方向Ｄ１は、前後方向Ｄ１といい、第１方向Ｄ１のうち、図における矢印方向を前方とし、図における矢印方向と反対方向を後方とする。そして、第１方向Ｄ１と直交する第２方向Ｄ２は、横方向Ｄ２といい、第２方向Ｄ２のうち、図における矢印方向を左方とし、図における矢印方向と反対方向を右方とする。
【００１３】
また、第１方向Ｄ１及び第２方向Ｄ２とそれぞれ直交する第３方向Ｄ３は、上下方向Ｄ３といい、第３方向Ｄ３のうち、図における矢印方向は、上方とし、図における矢印方向と反対方向を下方とする。なお、前後、左右、及び上下については、説明の便宜上で用いるためであって、実物において、前後が反対になったり、左右が反対になったり、そして、上下が反対になったりしてもよいことは勿論である。
【００１４】
図１〜図３に示すように、本実施形態に係るパウチ容器１は、内部に内容物が充填される袋体２と、袋体２の内部と外部とを連通させる注出体３とを備えている。パウチ容器１が内部に内容物を充填できる量は、特に限定されないが、例えば、１．０Ｌ以上、好ましくは１．５Ｌ以上であることが好ましい。以下、特に言及しない限り、図１及び図２に示すように、内部に内容物が充填されていない状態、即ち、折り畳まれた状態におけるパウチ容器１について、説明する。
【００１５】
袋体２は、第１面シート４と、第１面シート４と対面する第２面シート５と、第１面シート４と第２面シート５との間に配置される第１ガゼットシート６と、第１面シート４と第２面シート５との間に配置される第２ガゼットシート７とを備えている。なお、パウチ容器１は、折り畳まれた状態において、扁平状に形成されている。
【００１６】
第１ガゼットシート６は、下端縁に、横方向Ｄ２に沿う折曲部６ａを備えている。そして、第１ガゼットシート６における、折曲部６ａよりも第１面シート４側は、第１シート部６ｂといい、第１ガゼットシート６における、折曲部６ａよりも第２面シート５側は、第２シート部６ｃという。なお、第１シート部６ｂの上端部及び側端部は、それぞれ第１上端部６ｄ及び第１側端部６ｅといい、第２シート部６ｃの上端部及び側端部は、それぞれ第２上端部６ｆ及び第２側端部６ｇという。
【００１７】
第２ガゼットシート７は、上端縁に、横方向Ｄ２に沿う折曲部７ａを備えている。そして、第２ガゼットシート７における、折曲部７ａよりも第１面シート４側は、第１シート部７ｂといい、第２ガゼットシート７における、折曲部７ａよりも第２面シート５側は、第２シート部７ｃという。なお、第１シート部７ｂの下端部及び側端部は、それぞれ第１下端部７ｄ及び第１側端部７ｅといい、第２シート部７ｃの下端部及び側端部は、それぞれ第２下端部７ｆ及び第２側端部７ｇという。
【００１８】
袋体２は、第１面シート４の上端部４ａと第１ガゼットシート６の第１上端部６ｄとを接合する第１上端接合部８と、第２面シート５の上端部５ａと第１ガゼットシート６の第２上端部６ｆとを接合する第２上端接合部９とを備えている。なお、注出体３は、第１面シート４と第１ガゼットシート６との間に配置され、第１面シート４の上端部４ａと第１ガゼットシート６の第１上端部６ｄとにそれぞれ接合されている。
【００１９】
袋体２は、第１面シート４の側端部４ｂと第２面シート５の側端部５ｂとを接合する一対の側端接合部（「中央側端接合部」ともいう）１０，１０を備えている。また、袋体２は、第１面シート４の下端部４ｃと第２ガゼットシート７の第１下端部７ｄとを接合する第１下端接合部１１と、第２面シート５の下端部５ｃと第２ガゼットシート７の第２下端部７ｆとを接合する第２下端接合部１２とを備えている。
【００２０】
袋体２は、第１面シート４の側端部４ｂと第１ガゼットシート６の第１側端部６ｅとを接合する一対の第１上方側端接合部１３，１３と、第２面シート５の側端部５ｂと第１ガゼットシート６の第２側端部６ｇとを接合する一対の第２上方側端接合部１４，１４とを備えている。なお、第１及び第２側端部６ｅ，６ｇは、それぞれ切欠部６ｈ，６ｉを備えており、これにより、第１面シート４の側端部４ｂと第２面シート５の側端部５ｂとが、接合され、第１及び第２上方側端接合部１３，１４が、互いに接合されている。
【００２１】
袋体２は、第１面シート４の側端部４ｂと第２ガゼットシート７の第１側端部７ｅとを接合する一対の第１下方側端接合部１５，１５と、第２面シート５の側端部５ｂと第２ガゼットシート７の第２側端部７ｇとを接合する一対の第２下方側端接合部１６，１６とを備えている。なお、第１及び第２側端部７ｅ，７ｇは、それぞれ切欠部７ｈ，７ｉを備えており、これにより、第１面シート４の側端部４ｂと第２面シート５の側端部５ｂとが、接合され、第１及び第２下方側端接合部１５，１６が、互いに接合されている。
【００２２】
なお、袋体２（各シート４〜７）は、可撓性を有し、内部に充填される内容物を密閉できる材料で形成されていれば、特に限定されない。通常、シート４〜７は、樹脂フィルムから構成される。シート４〜７を構成する樹脂フィルムには、耐衝撃性、耐磨耗性、及び耐熱性等、包装体としての基本的な性能を備えることが要求される。
【００２３】
また、上記各接合部８〜１６は、通常、ヒートシールにより形成されるので、シート４〜７には、ヒートシール性も要求される。シート４〜７としては、ベースフィルム層と、ヒートシール性を付与するシーラント層とを有する複層シートが好適であり、高いガスバリア性が要求される場合には、ベースフィルム層とシーラント層との間にガスバリア層を設けることが好適である。
【００２４】
なお、ベースフィルム層そのものにガスバリア性を付与してもよい。この場合は、バリア層をベースフィルム層として用い、バリア層とシーラント層とを有する複層シートとなる。また、シートの両面にヒートシール性を付与する場合は、後述のシーラント層を形成する単層フィルムを用いてもよいし、複層シートの場合は、同種又は異種のシーラント層を二層有するか（このとき、シーラント層の一層を形式的にベースフィルム層として用いることになる）、或いはベースフィルム層の両面にシーラント層を有するシートを用いてもよい。
【００２５】
ここで、ベースフィルム層、シーラント層、及びガスバリア層の構成材料を例示する。これら各層の積層は、慣用のラミネート法、例えば接着剤によるドライラミネーション、熱接着性層を挟んで熱により接着させる熱ラミネーションなどにより行うことができる。
【００２６】
ベースフィルム層を構成するフィルムとしては、ポリエステル（ポリエチレンテレフタレート（ＰＥＴ）、ポリエチレンナフタレ−ト（ＰＥＮ）、ポリブチレンテレフタレート（ＰＢＴ）、ポリカーボネート（ＰＣ）など）、ポリオレフィン（ポリエチレン（ＰＥ）、ポリプロピレン（ＰＰ）など）、ポリアミド（ナイロン−６、ナイロン−６６など）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリメチルメタクリレート（ＰＭＭＡ）、及びポリエーテルスルフォン（ＰＥＳ）等から構成される一層又は二層以上の延伸又は未延伸フィルムが例示できる。ベースフィルムの厚みは、例えば１０μｍ〜２００μｍであり、好ましくは１０μｍ〜１００μｍである。
【００２７】
シーラント層を構成するフィルムとしては、低密度ポリエチレン（ＬＤＰＥ）、直鎖状低密度ポリエチレン（ＬＬＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層又は二層以上の延伸又は未延伸フィルムが例示できる。シーラント層の厚みは、例えば２０μｍ〜２００μｍであり、好ましくは３０μｍ〜１８０μｍである。
【００２８】
ガスバリア層としては、アルミニウム等の金属薄膜、又は塩化ビニリデン（ＰＶＤＣ）、エチレン−ビニルアルコール共重合体（ＥＶＯＨ）などの樹脂フィルム、或いは任意の合成樹脂フィルム（例えば、ベースフィルム層であってもよい）に、アルミニウム、酸化アルミニウムやシリカ等の無機酸化物などを蒸着（又はスパッタリング）したフィルムが例示できる。
【００２９】
各シート４〜７には、内容物の商品名、内容物の原材料、及び使用上の注意事項等の商品説明、その他各種デザインなどを表示するための印刷層を設けることができる。例えば、印刷層は、グラビア印刷等の公知の方法により、ベースフィルム層の内側の面に形成できる。
【００３０】
なお、各接合部８〜１６は、シート４〜７同士が重なって固定されていれば、特に限定されないため、シート４〜７同士が熱溶着されることで形成されるだけでなく、シート４〜７同士が例えば接着剤や超音波により接着されることで形成されてもよい。したがって、例えば、袋体２（各シート４〜７）は、非熱溶着性のフィルムで形成されていている、という構成でもよい。
【００３１】
注出体３は、筒状に形成されている。そして、注出体３は、キャップ１７に着脱可能に構成されている。なお、注出体３は、第１面シート４の上端部４ａの中央部４ｄに、固定されていることが好ましい。なお、第１面シート４の上端部４ａを三等分に区画した領域のうち、中央の領域を、中央部４ｄといい、外側の領域を、側方部４ｅ，４ｅという。
【００３２】
また、注出体３は、所定の剛性を有する材料で形成されていれば、特に限定されない。例えば、袋体２（各シート４〜７）が熱溶着性を有する樹脂フィルムで形成される場合には、注出体３は、ポリエチレンやポリプロピレン等の熱接着性樹脂で形成されていることが、好ましい。
【００３３】
ところで、第１及び第２上方側端接合部１３，１４の内縁１３ａ，１４ａは、第１ガゼットシート６の折曲部６ａに対して、傾斜して交差している。これにより、内縁１３ａ，１４ａが折曲部６ａに対して直交している構成と比較して、耐破袋性能を向上させることができている。具体的には、袋体２の内部に内容物が充填され、袋体２が落下した際に、内縁１３ａ，１４ａと折曲部６ａとの交差部分に集中して内圧がかかることを低減できるため破袋することを抑制することができる。
【００３４】
さらに、第１及び第２上方側端接合部１３，１４のそれぞれは、内部に非接合部１３ｂ，１４ｂを備えている。非接合部１３ｂ，１４ｂは、第１ガゼットシート６と面シート４，５とが接合していない領域であるため、周囲よりも柔軟性を有している。これにより、例えば、袋体２の内部に内容物が充填され、袋体２が落下した際に、非接合部１３ｂ，１４ｂで落下の衝撃を吸収することができる。したがって、耐破袋性能をさらに向上させることができている。
【００３５】
また、第１ガゼットシート６においては、第１シート部６ｂの上下方向Ｄ３の寸法は、第２シート部６ｃの上下方向Ｄ３の寸法よりも、大きくなっている。それに伴って、第１面シート４の上下方向Ｄ３の寸法は、第２面シート５の上下方向Ｄ３の寸法よりも、大きくなっている。これにより、第１ガゼットシート６の折曲部６ａから第１上端接合部８までの距離Ｗ１は、第１ガゼットシート６の折曲部６ａから第２上端接合部９までの距離Ｗ２よりも、大きくなっている。
【００３６】
一方、第２ガゼットシート７においては、第１シート部７ｂの上下方向Ｄ３の寸法は、第２シート部７ｃの上下方向Ｄ３の寸法と、同じとなっている。これにより、第２ガゼットシート７の折曲部７ａから第１下端接合部１１までの距離Ｗ３は、第２ガゼットシート７の折曲部７ａから第２下端接合部１２までの距離Ｗ４と、同じとなっている。
【００３７】
また、側端接合部１０の内縁１８は、内方に凹む凹部１８ａを備えており、側端接合部１０の外縁１９も、同様に、内方に凹む凹部１９ａを備えている。凹部１８ａ，１９ａは、側端接合部１０の中央に、それぞれ配置されている。具体的には、凹部１８ａ，１９ａは、袋体２の上下方向Ｄ３の中央に、それぞれ配置されている。
【００３８】
さらに、第１面シート４は、側端接合部１０を第１面シート４側に傾斜させる傾斜手段４ｆを備えている。本実施形態においては、傾斜手段４ｆは、側端接合部１０の内縁１８に沿って延びる折曲線によって、構成されている。したがって、傾斜手段４ｆは、側端接合部１０が第１面シート４側に傾斜するように、形成されている。具体的には、傾斜手段４ｆは、側端接合部１０が第１面シート４側に折れ曲がり易くなるように、形成されている。
【００３９】
なお、折曲線で構成される傾斜手段４ｆは、側端接合部１０が第１面シート４側に傾斜する構成であれば、特に限定されない。例えば、折曲線で構成される傾斜手段４ｆは、第１面シート４の外面側に連続的又は断続的な溝が形成されている、という構成でもよい。また、折曲線で構成される傾斜手段４ｆの位置及び個数は、特に限定されない。
【００４０】
また、第１面シート４は、表示部４ｇを備えている。表示部４ｇは、第１面シート４を上方に向けて袋体２を持つことを促す情報を、表示している。なお、表示部４ｇの位置は、例えば、第２面シート５でもよく、特に限定されない。
【００４１】
次に、本実施形態に係るパウチ容器１の内部に内容物が充填されたパウチ包装体２０について、図４〜図８を参照しながら説明する。以下、特に言及しない限り、図４〜図８に示すように、内部に内容物が充填されている状態におけるパウチ容器１について、説明する。
【００４２】
図４〜図６に示すように、パウチ包装体２０は、袋体２の内部に内容物が充填されたパウチ容器１と、パウチ容器１の注出体３に着脱されるキャップ１７とを備えている。そして、袋体２は、内部に内容物が充填された状態において、第１面シート４と第２面シート５とによって筒状に形成されると共に、自立可能に形成されている。
【００４３】
そして、側端接合部１０に凹部１８ａが形成されているため、図４及び図５に示すように、パウチ容器１が自立する際に、凹部１８ａを起点として、袋体２が変形する。具体的には、内容物の自重によって、袋体２には、くびれ２０ａが形成されることになる。
【００４４】
また、第１ガゼットシート６の折曲部６ａから第１上端接合部８までの距離Ｗ１が、当該折曲部６ａから第２上端接合部９までの距離Ｗ２よりも、大きくなっており、しかも、第２ガゼットシート７の折曲部７ａから第１下端接合部１１までの距離Ｗ３が、当該折曲部７ａから第２下端接合部１２までの距離Ｗ４と、同じになっている。これにより、図６に示すように、上下方向Ｄ３視において、第１面シート４の湾曲形状（変形状態）は、第２面シート５の湾曲形状（変形状態）よりも、緩やかとなる。
【００４５】
したがって、図４及び図５に示すように、第１面シート４の、横方向Ｄ２におけるくびれ２０ａが形成される領域は、小さくなる。具体的には、第１面シート４の、横方向Ｄ２における平面領域（くびれ２０ａが形成されていない領域）の幅Ｗ５は、第２面シート５の、横方向Ｄ２における平面領域の幅Ｗ６よりも、大きくなっている。したがって、例えば、第１面シート４の意匠性を向上させることができる。また、例えば、第１面シート４に表示される情報を正確に伝達させることができる。
【００４６】
また、第１面シート４の湾曲が、第２面シート５の湾曲よりも、緩やかであるため、側端接合部１０は、第１面シート４側に傾斜し易くなっている。しかも、第１面シート４が傾斜手段４ｆを備えているため、側端接合部１０は、第１面シート４側に確実に傾斜するようになっている。具体的には、側端接合部１０は、傾斜手段４ｆを起点にして、第１面シート４側に折れ曲がっている。
【００４７】
そして、以上のようなパウチ包装体２０に対して、図７に示すように、くびれ２０ａを掴むことで、パウチ容器１を片手で容易に持つことができる。しかも、側端接合部１０の外縁１９に、凹部１９ａ（図７において、図示していない）が形成されているため、くびれ２０ａを容易に掴むことができる。
【００４８】
ところで、第１面シート４を下方にして持った場合には、内容物が下方、即ち、注出体３の位置に溜まっており、内容物が一気に注ぎ出てしまい、内容物の注出量を調整することが難しい。それに対して、図７及び図８に示すように、第１面シート４を上方にして持った場合には、パウチ容器１を傾けることで、内容物が注出体３の位置まで流れるため、内容物の注出量を調整することができる。
【００４９】
このとき、図８に示すように、側端接合部１０が第１面シート４側に折れ曲がっているため、指が側端接合部１０の外縁１９と接触することを抑制することができる。これにより、側端接合部１０から指に受ける刺激（例えば、痛み）を小さくすることができる。
【００５０】
なお、パウチ容器１は、指が第２面シート５から滑ることを抑制させるために、第２面シート５の指が接する位置に滑止部を備えている、という構成でもよい。例えば、滑止部は、第２面シート５の表面にエンボス加工されて形成される、という構成でもよく、また、第２面シート５の表面に滑り止めニスを塗布されて形成される、という構成でもよい。また、例えば、滑止部は、第２面シート５の表面に取り付けられた滑り止めシールで形成される、という構成でもよい。
【００５１】
次に、本実施形態に係る側端接合部１０の詳細について、図９を参照しながら説明する。なお、本実施形態に係る側端接合部１０と、図１０に係る変形例の側端接合部１０とを、比較して説明する。
【００５２】
図９に示すように、外縁１９の凹部（以下、「外縁凹部」ともいう）１９ａは、湾曲状に形成される底部１９ｂと、底部１９ｂに連結される湾曲部１９ｃとを備えている。なお、底部１９ｂは、横方向Ｄ２の内方へ凸となるような湾曲であり、湾曲部１９ｃは、横方向Ｄ２の外方へ凸となるような湾曲である。
【００５３】
そして、本実施形態に係る側端接合部１０においては、内縁１８の凹部（以下、「内縁凹部」ともいう）１８ａは、湾曲状に形成される底部１８ｂと、底部１８ｂに向けて内方へ行くように、上下方向Ｄ３に対して傾斜する直線部１８ｃとを備えている。これにより、直線部１８ｃにおける、側端接合部１０の幅Ｗ７は、他の部分における、側端接合部１０の幅Ｗ８よりも、大きくなっている。
【００５４】
一方、図１０に示すように、変形例の側端接合部１０においては、外縁１９の凹部１９ａは、本実施形態に係る側端接合部１０と同じ形状である。そして、内縁１８の凹部１８ａは、側端接合部１０の幅Ｗ８が一定となるように、湾曲状の底部１８ｂと、底部１８ｂに連結される湾曲部１８ｄとを備えている。
【００５５】
したがって、変形例に係る側端接合部１０においては、湾曲部１８ｄによってデッドスペース（図１０において、二点鎖線と破線とで囲まれた空間）Ｓ１が形成されることに対して、実施形態に係る側端接合部１０においては、デッドスペースＳ１が形成されない。これにより、本実施形態に係る側端接合部１０によれば、袋体２の内部を有効に利用することができる。なお、デッドスペースＳ１は、第１面シート４と第２面シート５とが離れ難いことで形成され、内容物を充填することができない空間のことである。
【００５６】
また、外縁１９が同じ形状であるものの、変形例に係る側端接合部１０の幅Ｗ８が一定であることに対して、本実施形態に係る側端接合部１０においては、直線部１８ｃにおける、側端接合部１０の幅Ｗ７が、大きくなっている。これにより、本実施形態に係る側端接合部１０によれば、側端接合部１０の剛性を大きくすることができるため、側端接合部１０が指に引っ掛かり易くなる。したがって、パウチ容器１を片手でさらに容易に持つことができる。
【００５７】
なお、上記実施形態に係るパウチ容器１においては、凹部１８ａは、底部１８ｂに向けて内方へ行くように、上下方向Ｄ３に対して傾斜する直線部１８ｃを備える、という構成である。しかしながら、パウチ容器１は、斯かる構成が好ましいものの、斯かる構成に限られない。例えば、変形例に係るパウチ容器１のように、側端接合部１０は、幅Ｗ８が一定となるように、形成されている、という構成でもよい。
【００５８】
以上より、本実施形態に係るパウチ容器１は、袋体２と、前記袋体２の内部と外部とを連通させる注出体３と、を備え、前記袋体２は、第１面シート４と、前記第１面シート４と対面する第２面シート５と、前記第１面シート４と前記第２面シート５との間に配置されるガゼットシート６と、を備え、前記注出体３は、前記第１面シート４と前記ガゼットシート６との間に配置され、前記第１面シート４の上端部４ａと前記ガゼットシート６の第１上端部６ｄとにそれぞれ接合され、前記袋体２は、前記第１面シート４の側端部４ｂと前記第２面シート５の側端部５ｂとを接合する一対の側端接合部１０，１０を備え、前記側端接合部１０の内縁１８は、内方に凹む凹部１８ａを備える。
【００５９】
斯かる構成によれば、側端接合部１０の内縁１８が、内方に凹む凹部１８ａを備えているため、パウチ容器１の内部に、内容物が充填された際に、袋体２には、くびれ２０ａが形成される。これにより、くびれ２０ａを掴むことで、パウチ容器１が持ち易くなる。
【００６０】
また、本実施形態に係るパウチ容器１においては、前記袋体は、前記第１面シートと前記第２面シートとの間で且つ前記ガゼットシートよりも下方に配置される第２ガゼットシートを備え、前記袋体２は、前記第１面シート４の前記上端部４ａと前記ガゼットシート６の前記第１上端部６ｄとを接合する第１上端接合部８と、前記第２面シート５の上端部５ａと前記ガゼットシート６の第２上端部６ｆとを接合する第２上端接合部９と、前記第１面シートの前記下端部と前記第２ガゼットシートの前記第１下端部とを接合する第１下端接合部と、前記第２面シートの下端部と前記第２ガゼットシートの第２下端部とを接合する第２下端接合部と、を備え、前記ガゼットシート６の折曲部６ａから前記第１上端接合部８までの距離Ｗ１は、前記ガゼットシート６の前記折曲部６ａから前記第２上端接合部９までの距離Ｗ２よりも、大きく、前記第２ガゼットシートの折曲部から前記第１下端接合部までの距離は、前記第２ガゼットシートの前記折曲部から前記第２下端接合部までの距離と、同じである、という構成である。
【００６１】
斯かる構成によれば、パウチ容器１の内部に内容物が充填され、パウチ容器１が自立する際に、上下方向Ｄ３視において、第１面シート４の湾曲形状（変形状態）が、第２面シート５の湾曲形状（変形状態）よりも緩やかとなるように、袋体２が変形する。これにより、第１面シート４の、横方向Ｄ２におけるくびれ２０ａが形成される領域は、小さくなる。
【００６２】
また、本実施形態に係るパウチ容器１においては、前記凹部１８ａは、底部１８ｂに向けて内方へ行くように、上下方向Ｄ３に対して傾斜する直線部１８ｃを備える、という構成である。
【００６３】
斯かる構成によれば、凹部１８ａが直線部１８ｃを備えているため、袋体２にデッドスペースＳ１が生じることを抑制することができる。また、側端接合部１０の幅Ｗ７も大きくすることができるため、側端接合部１０の剛性を大きくすることができる。
【００６４】
また、本実施形態に係るパウチ容器１は、前記側端接合部１０を前記第１面シート４側に傾斜させる傾斜手段４ｆを備える、という構成である。
【００６５】
斯かる構成によれば、側端接合部１０は、傾斜手段４ｆによって、第１面シート４側に傾斜する。そして、手のひらが第１面シート４に接するように、パウチ容器１を片手で持った際に、側端接合部１０が第１面シート４側に傾斜していることによって、側端接合部１０の外縁１９から指に受ける刺激を小さくすることができる。
【００６６】
なお、パウチ容器１は、上記した実施形態の構成に限定されるものではなく、また、上記した作用効果に限定されるものではない。また、パウチ容器１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００６７】
（１）上記実施形態に係るパウチ容器１においては、第１及び第２上方側端接合部１３，１４の内縁１３ａ，１４ａは、第１ガゼットシート６の折曲部６ａに対して、傾斜して交差している、という構成である。しかしながら、パウチ容器１は、斯かる構成に限られない。例えば、図１１に示すように、第２上方側端接合部１４の内縁１４ａは（図１１においては図示していないが、第１上方側端接合部１３の内縁１３ａも）、第１ガゼットシート６の折曲部６ａに対して、直交している、という構成でもよい。
【００６８】
（２）また、上記実施形態に係るパウチ容器１においては、非接合部１３ｂは、第１上方側端接合部１３に配置されている、という構成である。しかしながら、パウチ容器１は、斯かる構成に限られない。例えば、図１２に示すように、非接合部１３ｂは、第１上方側端接合部１３及び第１上端接合部８に渡って配置されている、という構成でもよい。
【００６９】
（３）また、上記実施形態に係るパウチ容器１においては、側端接合部１０の外縁１９は、凹部１９ａを備えている、という構成である。しかしながら、パウチ容器１は、斯かる構成に限られない。例えば、側端接合部１０の外縁１９は、凹部１９ａを備えておらず、上下方向Ｄ３の全長に亘って、直線状に形成されている、という構成でもよい。
【００７０】
（４）また、上記実施形態に係るパウチ容器１においては、第１ガゼットシート６の折曲部６ａから第１上端接合部８までの距離Ｗ１は、当該折曲部６ａから第２上端接合部９までの距離Ｗ２よりも、大きい、という構成である。しかしながら、パウチ容器１は、斯かる構成が好ましいものの、斯かる構成に限られない。例えば、第１ガゼットシート６の折曲部６ａから第１上端接合部８までの距離Ｗ１は、当該折曲部６ａから第２上端接合部９までの距離Ｗ２と、同じである、という構成でもよい。
【００７１】
（５）また、上記実施形態に係るパウチ容器１においては、傾斜手段４ｆは、側端接合部１０の内縁１８に沿って延びる折曲線である、という構成である。しかしながら、パウチ容器１は、斯かる構成に限られない。例えば、傾斜手段は、少なくとも側端接合部１０の近傍において、第２面シート５の剛性が第１面シート４の剛性よりも大きいことによって、側端接合部１０を第１面シート４側に傾斜させる、という構成でもよい。斯かる傾斜手段の二つの例を以下に説明する。
【００７２】
（５−１）
第１の例として、傾斜手段２１は、図１３に示すように、第２面シート５に取り付けられる補強材である、という構成でもよい。そして、傾斜手段２１の一部は、側端接合部１０に配置され、傾斜手段の一部は、側端接合部１０よりも、横方向Ｄ２の内側に配置されている。
【００７３】
斯かる構成によれば、図１４に示すように、パウチ容器１の内部に内容物が充填された際に、第２面シート５が後方に凸となる湾曲形状に変形する。一方で、傾斜手段２１が平坦状を維持しようとするため、側端接合部１０は、第１面シート４側に傾斜することになる。
【００７４】
なお、補強材で構成される傾斜手段２１は、一つの側端接合部１０に対して少なくとも一つ備えられていればよく、位置及び個数は、特に限定されない。また、補強材で構成される傾斜手段２１は、第２面シート５を部分的に補強することにより、上述した作用効果を奏するものであれば、その材質等は特に限定されない。
【００７５】
傾斜手段２１の具体的構成としては、例えば、樹脂等からなるシート状の基材と、この基材に積層された接着層とを具備する構成が挙げられる。または、傾斜手段２１は、液状材料などを塗布し、これを硬化させることによって得られた構成であってもよい。
【００７６】
（５−２）
また、第２の例として、第２面シート５の剛性が第１面シート４の剛性よりも大きいことによって、第２面シート５が傾斜手段を兼ねている、という構成でもよい。斯かる構成によれば、パウチ容器１の内部に内容物が充填された際に、第２面シート５の剛性が第１面シート４の剛性よりも大きいため、側端接合部１０の近傍においては、第１面シート４側よりも、第２面シート５側の方が平坦状を維持しようとする。これにより、側端接合部１０は、第１面シート４側に傾斜することになる。
【００７７】
傾斜手段を兼ねる第２面シート５の構成は、第２面シート５の剛性が第１面シート４の剛性よりも大きいという構成であれば、特に限定されない。例えば、第１面シート４は、ベースフィルム層、シーラント層及びガスバリア層がそれぞれ一層である、という構成であることに対して、第２面シート５は、ベースフィルム層、シーラント層及びガスバリア層の少なくとも一つが複層である、という構成でもよい。即ち、第２面シート５の厚みが、第１面シート４の厚みよりも、厚い、という構成でもよい。
【００７８】
また、例えば、第１面シート４及び第２面シート５は、ベースフィルム層、シーラント層及びガスバリア層がそれぞれ同じ層数である一方で、所定の層において、第２面シート５の剛性が第１面シート４の剛性よりも大きい、という構成でもよい。即ち、第１面シート４の厚みと第２面シート５の厚みとは、同じであるものの、第２面シート５の剛性が第１面シート４の剛性よりも大きい、という構成でもよい。
【００７９】
（６）また、上記実施形態に係るパウチ容器１は、傾斜手段４ｆを備えている、という構成である。しかしながら、パウチ容器１は、斯かる構成が好ましいものの、斯かる構成に限られない。例えば、パウチ容器１は、傾斜手段４ｆを備えていない、という構成でもよい。
【符号の説明】
【００８０】
１…パウチ容器、２…袋体、３…注出体、４…第１面シート、４ａ…上端部、４ｂ…側端部、４ｃ…下端部、４ｄ…中央部、４ｅ…側方部、４ｆ…傾斜手段、４ｇ…表示部、５…第２面シート、５ａ…上端部、５ｂ…側端部、５ｃ…下端部、６…第１ガゼットシート、６ａ…折曲部、６ｂ…第１シート部、６ｃ…第２シート部、６ｄ…第１上端部、６ｅ…第１側端部、６ｆ…第２上端部、６ｇ…第２側端部、６ｈ…切欠部、６ｉ…切欠部、７…第２ガゼットシート、７ａ…折曲部、７ｂ…第１シート部、７ｃ…第２シート部、７ｄ…第１下端部、７ｅ…第１側端部、７ｆ…第２下端部、７ｇ…第２側端部、７ｈ…切欠部、７ｉ…切欠部、８…第１上端接合部、９…第２上端接合部、１０…側端接合部、１１…第１下端接合部、１２…第２下端接合部、１３…第１上方側端接合部、１３ａ…内縁、１３ｂ…非接合部、１４…第２上方側端接合部、１４ａ…内縁、１４ｂ…非接合部、１５…第１下方側端接合部、１６…第２下方側端接合部、１７…キャップ、１８…内縁、１８ａ…凹部、１８ｂ…底部、１８ｃ…直線部、１８ｄ…湾曲部、１９…外縁、１９ａ…凹部、１９ｂ…底部、１９ｃ…湾曲部、２０…パウチ包装体、２０ａ…くびれ、２１…傾斜手段、Ｄ１…前後方向、Ｄ２…横方向、Ｄ３…上下方向
【図１】
2019172282.tif 000003
【図２】
2019172282.tif 000004
【図３】
2019172282.tif 000005
【図４】
2019172282.tif 000006
【図５】
2019172282.tif 000007
【図６】
2019172282.tif 000008
【図７】
2019172282.tif 000009
【図８】
2019172282.tif 000010
【図９】
2019172282.tif 000011
【図１０】
2019172282.tif 000012
【図１１】
2019172282.tif 000013
【図１２】
2019172282.tif 000014
【図１３】
2019172282.tif 000015
【図１４】
2019172282.tif 000016